(57)【要約】【課題】同期信号のタイミングが同じとなるときにも判別誤りの発生を防止するとともに部品点数の増加を抑制する。【解決手段】チューナ部から送出される受信映像信号１１１から色信号成分と輝度信号成分における高域信号成分とを除去する第１のローパスフィルタ１１と、外部から入力される外部映像信号１２１から色信号成分と輝度信号成分における高域信号成分とを除去する第２のローパスフィルタ１２と、第１のローパスフィルタ１１の出力の基準レベルと第２のローパスフィルタ１２の出力の基準レベルとの間に所定のレベル差異を与えるレベルシフト部（抵抗Ｒ３，Ｒ４）と、比較部１５と、比較部１５の出力に基づいて、受信映像信号１１１と外部映像信号１２１とが同じ映像信号であるかどうかを示す判別信号１６１２を生成する判別信号生成部１６とを備えている。【選択図】  図１
0003101606.tif 000002
【実用新案登録請求の範囲】
【請求項１】
商用放送を受信するチューナ部と、
外部から入力される映像信号である外部映像信号とチューナ部から送出される映像信号である受信映像信号とが同じ映像信号であるかどうかを判別する信号一致判別装置とを備え、
信号一致判別装置が同じ映像信号であると判別するときのチューナ部の受信チャンネルを、指示されたチャンネル番号に対応した受信チャンネルに設定するビデオカセットレコーダにおいて、
信号一致判別装置は、
受信映像信号から色信号成分と輝度信号成分における高域信号成分とを除去する第１のローパスフィルタと、
外部映像信号から色信号成分と輝度信号成分における高域信号成分とを除去する第２のローパスフィルタと、
第１のローパスフィルタの出力の基準レベルと第２のローパスフィルタの出力の基準レベルとの間に所定のレベル差異を与えるレベルシフト部と、
第１のローパスフィルタの出力と第２のローパスフィルタの出力とのレベル比較を行う比較部と、
比較部の出力に基づいて受信映像信号と外部映像信号とが同じ映像信号であるかどうかを示す判別信号を生成する判別信号生成部とを備え、
チューナ部は直流成分が重畳された受信映像信号を送出し、
外部映像信号は直流成分を除去する結合用コンデンサを介して第２のローパスフィルタに導かれ、
第１のローパスフィルタは、一方の端子がチューナ部の受信映像信号の出力端子に接続された第１の抵抗と、第１の抵抗の他方の端子と接地レベルとの間に接続された第１のコンデンサとを備え、
第２のローパスフィルタは、一方の端子が結合用コンデンサに接続された第２の抵抗と、第２の抵抗の他方の端子と接地レベルとの間に接続された第２のコンデンサとを備え、  レベルシフト部は、一方の端子が第１の抵抗の前記一方の端子に接続され、他方の端子が第２の抵抗の前記一方の端子に接続された第３の抵抗と、第３の抵抗に直流電流を流す電流経路を形成する第４の抵抗とを備え、
判別信号生成部は、
比較部の出力にアノードが接続されたダイオードと、
ダイオードのカソードと接地レベルとの間に接続された第３のコンデンサと、
第３のコンデンサに並列に接続された放電用抵抗と、
ダイオードのカソードが入力の一方に接続され、入力の他方には基準電圧が与えられた比較器とを備えたことを特徴とするビデオカセットレコーダ。
【請求項２】
商用放送を受信するチューナ部から送出される映像信号である受信映像信号と、外部から入力される映像信号である外部映像信号とが同じ映像信号であるかどうかを判別する信号一致判別装置において、
受信映像信号から色信号成分と輝度信号成分における高域信号成分とを除去する第１のローパスフィルタと、
外部映像信号から色信号成分と輝度信号成分における高域信号成分とを除去する第２のローパスフィルタと、
第１のローパスフィルタの出力の基準レベルと第２のローパスフィルタの出力の基準レベルとの間に所定のレベル差異を与えるレベルシフト部と、
第１のローパスフィルタの出力と第２のローパスフィルタの出力とのレベル比較を行う比較部と、
比較部の出力に基づいて、受信映像信号と外部映像信号とが同じ映像信号であるかどうかを示す判別信号を生成する判別信号生成部とを備えたことを特徴とする信号一致判別装置。
【請求項３】
チューナ部は直流成分が重畳された受信映像信号を送出し、
外部映像信号は直流成分を除去する結合用コンデンサを介して第２のローパスフィルタに導かれ、
第１のローパスフィルタは、一方の端子がチューナ部の受信映像信号の出力端子に接続された第１の抵抗と、第１の抵抗の他方の端子と接地レベルとの間に接続された第１のコンデンサとを備え、
第２のローパスフィルタは、一方の端子が結合用コンデンサに接続された第２の抵抗と、第２の抵抗の他方の端子と接地レベルとの間に接続された第２のコンデンサとを備え、  レベルシフト部は、一方の端子が第１の抵抗の前記一方の端子に接続され、他方の端子が第２の抵抗の前記一方の端子に接続された第３の抵抗と、第３の抵抗に直流電流を流す電流経路を形成する第４の抵抗とを備えたことを特徴とする請求項２記載の信号一致判別装置。
【請求項４】
判別信号生成部は、
比較部の出力にアノードが接続されたダイオードと、
ダイオードのカソードと接地レベルとの間に接続された第３のコンデンサと、
第３のコンデンサに並列に接続された放電用抵抗と、
ダイオードのカソードが入力の一方に接続され、入力の他方には基準電圧が与えられた比較器とを備えたことを特徴とする請求項２または請求項３記載の信号一致判別装置。
【考案の詳細な説明】
【技術分野】
【０００１】
本考案は、商用放送を受信するチューナ部から送出される映像信号である受信映像信号と、外部から入力される映像信号である外部映像信号とが同じ映像信号であるかどうかを判別する信号一致判別装置、および、前記信号一致判別装置を有するビデオカセットレコーダに関するものである。
【背景技術】
【０００２】
商用放送を受信するためのチューナ部を有する装置は、テレビ受像機ばかりではなく、ビデオカセットレコーダ等のように、商用放送を受信して記録することが可能な装置にも設けられている。一方、受信する商用放送のチャンネル（受信チャンネルと称する）は、リモートコントローラ等を用いて入力するチャンネル（指示チャンネルと称する）に一致しない場合が多い。その一方で、使い勝手の良さから、ビデオカセットレコーダにおける指示チャンネルの番号と受信チャンネルとの関係は、テレビ受像機における指示チャンネルの番号と受信チャンネルとの関係に一致するように設定される。このような設定を自動化するため、テレビ受像機における指示チャンネルをＮとしたとき、ビデオカセットレコーダの側において、受信チャンネルを順次スキャンしながら受信し、受信して得られた映像信号が、テレビ受像機から出力される映像信号に一致するかどうかを調べている。そして、テレビ受像機から出力される映像信号に一致する商用放送が受信されたとき、ビデオカセットレコーダの側においては、指示チャンネルのＮに対応する受信チャンネルを、このときの受信チャンネルに設定するようになっている。
【０００３】
上記した動作においては、テレビ受像機の側からビデオカセットレコーダの側に出力される映像信号と、ビデオカセットレコーダが有するチューナ部から出力される映像信号とが、同じ映像信号であるかどうかの判別、つまり、２つの映像信号が同じであるかどうかの判別が不可欠となっている。図７は、２つの映像信号が同じかどうかを判別する従来技術を示している。すなわち、この技術においては、比較対象となる２つの映像信号のそれぞれを、映像信号をパルス化するパルス化回路９１，９２に導いている。パルス化回路９１とパルス化回路９２とは、共に同一構成となっており、映像信号を、抵抗Ｒ９１とコンデンサＣ９１とからなるローパスフィルタを介して、比較器９１１のマイナス入力に導くとともに、抵抗Ｒ９２とコンデンサＣ９２とからなるローパスフィルタを介して、比較器９１１のプラス入力に導いている。また、抵抗Ｒ９１とコンデンサＣ９１とからなるローパスフィルタの時定数と、抵抗Ｒ９２とコンデンサＣ９２とからなるローパスフィルタの時定数とを、互いに異なる値に設定している。
【０００４】
そして、パルス化回路９１の出力とパルス化回路９２の出力とが一致する期間を、排他論理和回路９３を用いて検出している。次いで、抵抗Ｒ９３とコンデンサＣ９３と比較器９４１とからなる判別回路９４を用いて、排他論理和回路９３の出力がＨレベルとなる期間（パルス化回路９１の出力とパルス化回路９２の出力とが一致する期間）があったかどうかを調べ、Ｈレベルとなる期間があったときには、一致を示すＬレベルを出力するようになっている（第１の従来技術とする）。
【０００５】
また、以下に示す従来技術が提案されている（第２の従来技術とする）。すなわち、この技術においては、２つの映像信号のそれぞれから同期信号を取り出している。次いで、取り出された同期信号が互いに同じタイミングを示す信号となっているかどうかを調べている。そして、取り出された同期信号が、互いに同じタイミングを示す信号となっているときには、２つの映像信号は同じであると判定するようになっている（例えば、特許文献１参照）。
【特許文献１】特開２０００−１３８８９５号公報
【考案の開示】
【考案が解決しようとする課題】
【０００６】
しかしながら、第１の従来技術を用いる場合には、以下の問題が生じることになる。すなわち、２つの映像信号が同じ信号であるかどうかを判別するためには、２つのパルス化回路９１，９２、排他論理和回路９３、判別回路９４の４つの回路を必要とする。このため、部品点数が多くなり、部品原価が上昇するので、少ない部品点数でもって、同様の判別を可能にする構成が求められていた。
【０００７】
また、第２の従来技術を用いる場合には、以下に示す問題を生じていた。すなわち、同期信号のタイミングは、放送局のそれぞれが、それぞれにおいて決定しているに過ぎない。このため、２つの映像信号における同期信号のタイミングについては、一致する可能性を排除することはできない。このため、同期信号のタイミングが同じがどうかに基づいて判別する場合には、誤った判別結果を招く恐れがあった。
【０００８】
本考案は、上記の問題点を解決するため創案されたものであり、その目的は、同期信号のタイミングが同じとなるときにも２つの映像信号が同じであるかどうかの判別誤りの発生を防止できるとともに部品点数の増加を抑制することのできるビデオカセットレコーダを提供することにある。
【０００９】
また本考案の目的は、色信号成分と輝度信号における高域信号成分とを除去した映像信号のレベル比較を行うことにより、同期信号のタイミングが同じとなるときにも判別誤りの発生を防止できるとともに部品点数の増加を抑制することのできる信号一致判別装置を提供することにある。
【００１０】
また上記目的に加え、チューナ部が出力する映像信号に重畳された直流成分を、比較器の入力のバイアスレベルとして用い、比較器を単一電源で動作させるときにも、バイアス電圧を発生させるための素子を不要とすることによって、部品点数の増加を、より抑制することのできる信号一致判別装置を提供することにある。
【００１１】
また上記目的に加え、２つの映像信号を比較する比較器の出力に基づいて映像信号が同じ信号であるかどうかを示す判別信号を生成する回路を簡単化することのできる信号一致判別装置を提供することにある。
【課題を解決するための手段】
【００１２】
上記の課題を解決するため、本考案に係るビデオカセットレコーダは、商用放送を受信するチューナ部と、外部から入力される映像信号である外部映像信号とチューナ部から送出される映像信号である受信映像信号とが同じ映像信号であるかどうかを判別する信号一致判別装置とを備え、信号一致判別装置が同じ映像信号であると判別するときのチューナ部の受信チャンネルを、指示されたチャンネル番号に対応した受信チャンネルに設定するビデオカセットレコーダに適用している。そして、信号一致判別装置は、受信映像信号から色信号成分と輝度信号成分における高域信号成分とを除去する第１のローパスフィルタと、外部映像信号から色信号成分と輝度信号成分における高域信号成分とを除去する第２のローパスフィルタと、第１のローパスフィルタの出力の基準レベルと第２のローパスフィルタの出力の基準レベルとの間に所定のレベル差異を与えるレベルシフト部と、第１のローパスフィルタの出力と第２のローパスフィルタの出力とのレベル比較を行う比較部と、比較部の出力に基づいて受信映像信号と外部映像信号とが同じ映像信号であるかどうかを示す判別信号を生成する判別信号生成部とを備えている。そして、チューナ部は直流成分が重畳された受信映像信号を送出し、外部映像信号は直流成分を除去する結合用コンデンサを介して第２のローパスフィルタに導かれ、第１のローパスフィルタは、一方の端子がチューナ部の受信映像信号の出力端子に接続された第１の抵抗と、第１の抵抗の他方の端子と接地レベルとの間に接続された第１のコンデンサとを備え、第２のローパスフィルタは、一方の端子が結合用コンデンサに接続された第２の抵抗と、第２の抵抗の他方の端子と接地レベルとの間に接続された第２のコンデンサとを備え、レベルシフト部は、一方の端子が第１の抵抗の前記一方の端子に接続され、他方の端子が第２の抵抗の前記一方の端子に接続された第３の抵抗と、第３の抵抗に直流電流を流す電流経路を形成する第４の抵抗とを備え、判別信号生成部は、比較部の出力にアノードが接続されたダイオードと、ダイオードのカソードと接地レベルとの間に接続された第３のコンデンサと、第３のコンデンサに並列に接続された放電用抵抗と、ダイオードのカソードが入力の一方に接続され、入力の他方には基準電圧が与えられた比較器とを備えている。
【００１３】
すなわち、受信映像信号と外部映像信号とが同じ映像信号となるときには、第１のローパスフィルタの出力と第２のローパスフィルタの出力とのレベルの差異は、レベルシフト部によって与えられたレベル差異に維持される。従って、比較部の比較結果には反転が発生しない。このため、判別信号生成部は、受信映像信号と外部映像信号とが同じ映像信号であると判別する。一方、受信映像信号と外部映像信号とが異なる映像信号となる場合には、同期信号のタイミングが同じとなるときにも、第１のローパスフィルタの出力と第２のローパスフィルタの出力とのレベルの差異に反転が生じる。従って、比較部の比較結果に反転が生じるので、判別信号生成部は、受信映像信号と外部映像信号とが異なる映像信号であると判別する。且つ、この判別は、受信映像信号をパルス化するための回路および外部映像信号をパルス化する回路を用いることなく行われる。また、受信映像信号に重畳された直流成分は、第１の抵抗を介して、比較部の入力に直流バイアスを与える。また、前記直流成分は、第３の抵抗と第２の抵抗とを介して、比較部の入力に直流バイアスを与える。且つ、第３の抵抗は、レベルシフト部を構成する素子と共用となっている。また、判別信号生成部は、１つのダイオード、１つのコンデンサ、１つの抵抗、１つの比較器によって構成される。
【００１４】
また本考案に係る信号一致判別装置は、商用放送を受信するチューナ部から送出される映像信号である受信映像信号と、外部から入力される映像信号である外部映像信号とが同じ映像信号であるかどうかを判別する信号一致判別装置に適用している。そして、受信映像信号から色信号成分と輝度信号成分における高域信号成分とを除去する第１のローパスフィルタと、外部映像信号から色信号成分と輝度信号成分における高域信号成分とを除去する第２のローパスフィルタと、第１のローパスフィルタの出力の基準レベルと第２のローパスフィルタの出力の基準レベルとの間に所定のレベル差異を与えるレベルシフト部と、第１のローパスフィルタの出力と第２のローパスフィルタの出力とのレベル比較を行う比較部と、比較部の出力に基づいて、受信映像信号と外部映像信号とが同じ映像信号であるかどうかを示す判別信号を生成する判別信号生成部とを備えている。
【００１５】
すなわち、受信映像信号と外部映像信号とが同じ映像信号となるときには、第１のローパスフィルタの出力と第２のローパスフィルタの出力とのレベルの差異は、レベルシフト部によって与えられたレベル差異に維持される。従って、比較部の比較結果には反転が発生しない。このため、判別信号生成部は、受信映像信号と外部映像信号とが同じ映像信号であると判別する。一方、受信映像信号と外部映像信号とが異なる映像信号となる場合には、同期信号のタイミングが同じとなるときにも、第１のローパスフィルタの出力と第２のローパスフィルタの出力とのレベルの差異に反転が生じる。従って、比較部の比較結果に反転が生じるので、判別信号生成部は、受信映像信号と外部映像信号とが異なる映像信号であると判別する。且つ、この判別は、受信映像信号をパルス化するための回路および外部映像信号をパルス化する回路を用いることなく行われる。
【００１６】
また上記構成に加え、チューナ部は直流成分が重畳された受信映像信号を送出し、外部映像信号は直流成分を除去する結合用コンデンサを介して第２のローパスフィルタに導かれ、第１のローパスフィルタは、一方の端子がチューナ部の受信映像信号の出力端子に接続された第１の抵抗と、第１の抵抗の他方の端子と接地レベルとの間に接続された第１のコンデンサとを備え、第２のローパスフィルタは、一方の端子が結合用コンデンサに接続された第２の抵抗と、第２の抵抗の他方の端子と接地レベルとの間に接続された第２のコンデンサとを備え、レベルシフト部は、一方の端子が第１の抵抗の前記一方の端子に接続され、他方の端子が第２の抵抗の前記一方の端子に接続された第３の抵抗と、第３の抵抗に直流電流を流す電流経路を形成する第４の抵抗とを備えている。
【００１７】
すなわち、受信映像信号に重畳された直流成分は、第１の抵抗を介して、比較部の入力に直流バイアスを与える。また、前記直流成分は、第３の抵抗と第２の抵抗とを介して、比較部の入力に直流バイアスを与える。且つ、第３の抵抗は、レベルシフト部を構成する素子と共用となっている。また、受信映像信号は、直流成分を除去する結合用コンデンサを介することなく、第１の抵抗に導かれる。
【００１８】
また上記構成に加え、判別信号生成部は、比較部の出力にアノードが接続されたダイオードと、ダイオードのカソードと接地レベルとの間に接続された第３のコンデンサと、第３のコンデンサに並列に接続された放電用抵抗と、ダイオードのカソードが入力の一方に接続され、入力の他方には基準電圧が与えられた比較器とを備えている。
【００１９】
すなわち、判別信号生成部は、１つのダイオード、１つのコンデンサ、１つの抵抗、１つの比較器によって構成される。
【考案の効果】
【００２０】
本考案によれば、受信映像信号と外部映像信号とが同じ映像信号となるときには、第１のローパスフィルタの出力と第２のローパスフィルタの出力とのレベルの差異は、レベルシフト部によって与えられたレベル差異に維持され、比較部の比較結果には反転が発生しない。このため、判別信号生成部は、受信映像信号と外部映像信号とが同じ映像信号であると判別する。一方、受信映像信号と外部映像信号とが異なる映像信号となる場合には、同期信号のタイミングが同じとなるときにも、第１のローパスフィルタの出力と第２のローパスフィルタの出力とのレベルの差異に反転が生じ、比較部の比較結果に反転が生じる。このため、判別信号生成部は、受信映像信号と外部映像信号とが異なる映像信号であると判別する。且つ、この判別は、受信映像信号をパルス化するための回路および外部映像信号をパルス化する回路を用いることなく行われる。また、受信映像信号に重畳された直流成分は、第１の抵抗を介して、比較部の入力に直流バイアスを与える。また、前記直流成分は、第３の抵抗と第２の抵抗とを介して、比較部の入力に直流バイアスを与える。且つ、第３の抵抗は、レベルシフト部を構成する素子と共用となっている。また、判別信号生成部は、１つのダイオード、１つのコンデンサ、１つの抵抗、１つの比較器によって構成される。このため、同期信号のタイミングが同じとなるときにも２つの映像信号が同じであるかどうかの判別誤りの発生を防止できるとともに部品点数の増加を抑制することができる。
【００２１】
また本考案によれば、受信映像信号と外部映像信号とが同じ映像信号となるときには、第１のローパスフィルタの出力と第２のローパスフィルタの出力とのレベルの差異は、レベルシフト部によって与えられたレベル差異に維持され、比較部の比較結果には反転が発生しない。このため、判別信号生成部は受信映像信号と外部映像信号とが同じ映像信号であると判別する。一方、受信映像信号と外部映像信号とが異なる映像信号となる場合には、同期信号のタイミングが同じとなるときにも、第１のローパスフィルタの出力と第２のローパスフィルタの出力とのレベルの差異に反転が生じ、比較部の比較結果に反転が生じる。このため、判別信号生成部は受信映像信号と外部映像信号とが異なる映像信号であると判別する。且つ、この判別は、受信映像信号をパルス化するための回路および外部映像信号をパルス化する回路を用いることなく行われるので、同期信号のタイミングが同じとなるときにも判別誤りの発生を防止できるとともに部品点数の増加を抑制することができる。
【００２２】
またさらに、受信映像信号に重畳された直流成分は、第１の抵抗を介して、比較部の入力に直流バイアスを与える。また、前記直流成分は、第３の抵抗と第２の抵抗とを介して、比較部の入力に直流バイアスを与える。且つ、第３の抵抗は、レベルシフト部を構成する素子と共用となっている。このため、バイアス電圧を発生させるための素子が不要になるとともに、受信映像信号を第１の抵抗に導く経路においては、直流成分を除去する結合用コンデンサを省略できるので、部品点数の増加を、より抑制することができる。また、受信映像信号を第１の抵抗に導く経路においては、結合用コンデンサを用いたときのような直流電位の変位（サグ）が生じないので、比較部による比較の精度が高まるという効果も併せて得られる。
【００２３】
またさらに、判別信号生成部は、１つのダイオード、１つのコンデンサ、１つの抵抗、１つの比較器により構成されるので、２つの映像信号を比較する比較器の出力に基づいて映像信号が同じ信号であるかどうかを示す判別信号を生成する回路を簡単化することができる。
【考案を実施するための最良の形態】
【００２４】
以下、本考案の実施の形態について図を参照して説明する。
【００２５】
図２は、本考案に係る信号一致判別装置の一実施形態を用いたビデオカセットレコーダの電気的構成を示すブロック線図であり、ＰＡＬ方式による商用放送を受信するビデオカセットレコーダを示している。
【００２６】
図において、チューナ部２は、マイクロコンピュータ５により設定されたチャンネル（以下では受信チャンネルと称する）の商用放送を受信するとともに、受信して得られた映像信号（以下では受信映像信号と称する）１１１を、ビデオカセットレコーダ部（以下ではＶＣＲ部と称する）３と信号一致判別装置１とに出力する。また、受信時の受信レベルを示す信号をマイクロコンピュータ５を出力する。
【００２７】
ＶＣＲ部３は、図示されない回転ヘッド、ビデオカセットテープを走行させるための機構部（図示を省略）、録画時や再生時の信号処理を行う信号処理部（図示を省略）等を備えており、ビデオカセットレコーダとしての主要動作を実行する。すなわち、チューナ部２から出力される受信映像信号１１１をビデオカセットテープに記録する。また、ビデオカセットテープを再生して得られた映像信号を、スカートコネクタ４の端子４１を介して、テレビ受像機９に出力する。
【００２８】
信号一致判別装置１は、チューナ部２から出力される受信映像信号１１１と、テレビ受像機９から送出され、端子４２に入力された映像信号である外部映像信号１２１とが、同じ映像信号であるかどうかを判別し、判別結果を示す判別信号１６１２をマイクロコンピュータ５に出力する（詳細な構成については、後述する）。入力部６は、装置本体の前面パネルに設けられた図示されない複数のキースイッチや、リモートコントローラ７から送信される赤外線信号を受光する図示されない受光ユニット等を備えており、ユーザの指示が入力される。また、入力された指示をマイクロコンピュータ５に送出する。
【００２９】
マイクロコンピュータ５は、ビデオカセットレコーダとしての主要動作を制御する。すなわち、チューナ部２が受信するチャンネル（受信チャンネル）を設定する。また、リモートコントローラ７等に入力されたユーザの指示に従って、ＶＣＲ部３の動作を制御する。また、リモートコントローラ７等を用いてユーザから指示されたチャンネル番号（以下では指示チャンネルと称する）に、チューナ部２が受信するチャンネル（受信チャンネル）を対応付ける初期設定等を行う。
【００３０】
なお、マイクロコンピュータ５は、指示チャンネルに受信チャンネルを対応付ける場合、信号一致判別装置１の判別信号１６１２に基づき、チューナ部２から出力される受信映像信号１１１と外部映像信号１２１とが同じ信号であるかどうかを調べる。そして、受信映像信号１１１と外部映像信号１２１とが同じ映像信号とならないときには、チューナ部２が受信する受信チャンネルの値を１つ更新した後、信号一致判別装置１の判別信号１６１２に基づいて、受信映像信号１１１と外部映像信号１２１とが同じ信号であるかどうかを調べることを繰り返す。
【００３１】
上記した繰り返しにおいて、受信映像信号１１１と外部映像信号１２１とが同じ信号となったことが判明したとき、リモートコントローラ７により指示された指示チャンネル（テレビ受像機９における指示チャンネルに等しい）に対応付ける受信チャンネルを、このときの受信チャンネルに設定する。
【００３２】
図１は、信号一致判別装置１の詳細な電気的接続を示す回路図である。同図を参照しつつ、信号一致判別装置１の構成を説明する。
【００３３】
信号一致判別装置１は、大別すると、第１のローパスフィルタ１１、第２のローパスフィルタ１２、レベルシフト部を構成する第３および第４の抵抗Ｒ３，Ｒ４、比較部１５、判別信号生成部１６、結合用コンデンサＣ４、および、終端抵抗Ｒ２０を備えている。
【００３４】
第１のローパスフィルタ１１は、チューナ部２から出力される受信映像信号１１１から、色信号成分と輝度信号成分における高域信号成分とを除去する。このため、一方の端子がチューナ部２の映像信号の出力端子２１に接続された第１の抵抗Ｒ１を備えている。また、第１の抵抗Ｒ１の他方の端子と接地レベルとの間に接続された第１のコンデンサＣ１を備えている。
【００３５】
第２のローパスフィルタ１２は、端子４２に入力された映像信号である外部映像信号１２１から、色信号成分と輝度信号成分における高域信号成分とを除去する。このため、一方の端子が、直流成分を除去する結合用コンデンサＣ４を介して、端子４２に接続された第２の抵抗Ｒ２と、第２の抵抗Ｒ２の他方の端子と接地レベルとの間に接続された第２のコンデンサＣ２とを備えている。
【００３６】
なお、第１のローパスフィルタ１１の周波数特性と第２のローパスフィルタ１２の周波数特性とは、互いに近似した特性であればよい。このため、本実施形態では、第１のローパスフィルタ１１の周波数特性と第２のローパスフィルタ１２の周波数特性とを同一としている。すなわち、第１の抵抗Ｒ１の値および第２の抵抗Ｒ２の値を１０ｋΩとし、第１のコンデンサＣ１の値および第２のコンデンサＣ２の値を１ｎＦとしている。
【００３７】
第１の抵抗Ｒ１の一方の端子と第２の抵抗Ｒ２の一方の端子との間には、第３の抵抗Ｒ３が接続されている。また、第２の抵抗Ｒ２の他方の端子と接地レベルとの間には、第４の抵抗Ｒ４が接続されている。従って、受信映像信号１１１に重畳された直流成分に対しては、第３の抵抗Ｒ３、第２の抵抗Ｒ２、第４の抵抗Ｒ４からなる電流経路が形成される。このため、第３の抵抗Ｒ３の端子間に電圧が発生する。そして、この電圧は、第１の抵抗Ｒ１の他方の端子（第１のローパスフィルタ１１の出力）の基準レベルと、第２の抵抗Ｒ２の他方の端子（第２のローパスフィルタ１２の出力）の基準レベルとの間に、所定のレベル差異を与える。
【００３８】
比較部１５は、第１のローパスフィルタ１１の出力１１２と第２のローパスフィルタ１２の出力１２２とのレベル比較を行う。このため、出力１１２がマイナス入力に導かれ、出力１２２がプラス入力に導かれた比較器１５１と、比較器１５１の出力を５Ｖにプルアップする抵抗Ｒ６とを備えている。
【００３９】
判別信号生成部１６は、比較部１５の出力１５１１に基づいて、受信映像信号１１１と外部映像信号１２１とが同じ映像信号であるかどうかを示す判別信号１６１２を生成する。このため、比較部１５の出力１５１１がアノードに導かれたダイオードＤ１と、ダイオードＤ１のカソードと接地レベルとの間に接続された第３のコンデンサＣ３とを備えている。また、第３のコンデンサＣ３に並列に接続された放電用抵抗Ｒ７と、ダイオードＤ１のカソードがプラス入力に接続された比較器１７１とを備えている。また、５Ｖを分圧して基準電圧を生成し、生成した基準電圧を比較器１７１のマイナス入力に与える２つの抵抗Ｒ８，Ｒ９を備えている。
【００４０】
なお、ダイオードＤ１と第３のコンデンサＣ３とは、比較器１５１の出力１５１１を検波する。また、放電用抵抗Ｒ７は、検波における放電の時定数を、所定の値（１フィールド期間より充分に長い期間であり、例えば、約５０ｍＳ）に設定する。また、比較器１７１の出力は、判別信号１６１２として、マイクロコンピュータ５に導かれている。
【００４１】
図３は、受信映像信号と外部映像信号とが同じ映像信号となるときの主要信号の波形を示す説明図である。必要に応じて同図を参照しつつ、受信映像信号と外部映像信号とが同じ映像信号となるときの信号一致判別装置の動作について説明する。
【００４２】
いま、受信映像信号１１１ａと外部映像信号１２１ａとが同じ映像信号になっているとする。すなわち、受信映像信号１１１と外部映像信号１２１とは、映像を示す信号波形が同一であるとともに、同期信号のタイミングについても、同一になっているとする（同期信号のタイミングが異なる場合には、映像を示す信号波形が同一であるときにも、異なる映像信号となる）。
【００４３】
一方、第１のローパスフィルタ１１および第２のローパスフィルタ１２は、映像信号から、色信号成分と、輝度信号成分における高域信号成分を除去する。従って、第１のローパスフィルタ１１から出力される信号は１１２ａにより示す信号となり、第２のローパスフィルタ１２から出力される信号は１２２ａにより示す信号となる。
【００４４】
いま、受信映像信号１１１ａの信号レベルと外部映像信号１２１の信号レベルとにばらつきが無いとする（受信映像信号１１１ａと外部映像信号１２１ａとは、共に信号レベルが等しくなる）。また、チューナ部２から第１のローパスフィルタ１１までの経路における信号の遅延と、第２のローパスフィルタ１２に導かれる外部映像信号１２１の経路における信号の遅延との差異を無視するとすると、信号１１２ａと信号１２２ａとは、波形が同一、且つ、タイミングが同一の信号となり、重畳される直流レベルのみが異なる信号となる。
【００４５】
従って、第１のローパスフィルタ１１の出力レベルが、常に、第２のローパスフィルタ１２の出力レベルより高くなるので、比較器１５１の出力１５１１ａは、常にＬレベルとなる。このため、ダイオードＤ１と第３のコンデンサＣ３とにより検波された出力１６１１ａは、常に０Ｖとなる。従って、判別信号１６１２ａは、受信映像信号１１１と外部映像信号１２１とが同一の映像信号であることを示すＬレベルとなる。
【００４６】
なお、受信映像信号１１１の信号レベルや外部映像信号１２１の信号レベルにばらつきが生じるときには、信号１１２ａの信号レベルや信号１２２ａの信号レベルにもばらつきが生じる。また、チューナ部２から第１のローパスフィルタ１１までの経路における信号の遅延と、第２のローパスフィルタ１２に導かれる外部映像信号１２１の経路における信号の遅延とに差異が生じるときには、信号１１２ａのレベル変化のタイミングと信号１２２ａの信号変化のタイミングとに、僅かなずれが生じる。
【００４７】
しかし、信号１１２ａと信号１２２ａとのそれぞれには、抵抗Ｒ３の端子間電圧の作用によって、異なる直流レベルが重畳されている。且つ、第１のローパスフィルタ１１や第２のローパスフィルタ１２の作用により、信号１１２ａ，１２２ａのレベルの変化率の最大値が抑制されている。そして、レベルシフト部によって与えられるレベル差異は、このようなときの誤動作の発生を防止するのに充分な値に設定されている。
【００４８】
その結果、受信映像信号１１１と外部映像信号１２１とが同じ映像信号となるとき、すなわち、テレビ受像機９が受信している商用放送のチャンネル（受信チャンネル）と、チューナ部２が受信している商用放送のチャンネル（受信チャンネル）とが同じとなるには、受信映像信号１１１の信号レベルや外部映像信号１２１の信号レベルにばらつきが生じ、且つ、チューナ部２から第１のローパスフィルタ１１に至る信号経路により生じる信号の遅延と、第２のローパスフィルタ１２に導かれる外部映像信号１２１の経路における信号の遅延とに差異が生じるときにも、比較器１５１の出力１５１１ａは常にＬレベルとなり、判別信号１６１２ａはＬレベルに維持される。
【００４９】
図４は、受信映像信号と外部映像信号とが互いに異なる信号となるときの主要信号の波形を示す説明図である。必要に応じて同図を参照しつつ、受信映像信号と外部映像信号とが互いに異なるときの信号一致判別装置の動作について説明する。
【００５０】
いま、受信映像信号１１１ｂと外部映像信号１２１ｂとが異なる映像信号になっているとする。詳細には、映像を示す信号波形は同一であるが、同期信号のタイミングが異なる映像信号になっているとする（同期信号のタイミングが異なる場合には、映像を示す信号波形が同一であるときにも、異なる映像信号となる）。従って、第１のローパスフィルタ１１から出力される信号は１１２ｂにより示す信号となり、第２のローパスフィルタ１２から出力される信号は１２２ｂにより示す信号となる。
【００５１】
その結果、比較器１５１の出力には、１５１１ｂにより示したように、ＬレベルとＨレベルとが現れる。このため、ダイオードＤ１と第３のコンデンサＣ３とにより検波された出力１６１１ｂは、常に５Ｖとなる。従って、判別信号１６１２ｂは、受信映像信号１１１と外部映像信号１２１とが異なる映像信号となっていることを示すＨレベルとなる。
【００５２】
図５は、同期信号のタイミングが同じであるが、受信映像信号における映像を示す信号波形と外部映像信号における映像を示す信号波形とが異なる信号波形となるときの主要信号の波形を示す説明図である。必要に応じて同図を参照しつつ、受信映像信号と外部映像信号とが異なる映像信号となるときの信号一致判別装置の動作について説明する。
【００５３】
いま、受信映像信号１１１ｃが約５０％の一様なグレー画面を示す映像信号になっているとする。また、外部映像信号１２１ｃは、縦縞を示す映像信号になっているとする。そして、同期信号のタイミングについては、受信映像信号１１１ｃと外部映像信号１２１ｃとが同一タイミングになっているとする。従って、第１のローパスフィルタ１１から出力される信号は１１２ｃにより示す信号となり、第２のローパスフィルタ１２から出力される信号は１２２ｃにより示す信号となる。
【００５４】
その結果、比較器１５１の出力には、１５１１ｃによって示したように、ＬレベルとＨレベルとが現れる。このため、ダイオードＤ１と第３のコンデンサＣ３とにより検波された出力１６１１ｃは、常に５Ｖとなる。従って、判別信号１６１２ｃは、受信映像信号１１１ｃの同期信号のタイミングと、外部映像信号１２１ｃの同期信号のタイミングとが同一となっているにもかかわらず、受信映像信号１１１と外部映像信号１２１とが異なる映像信号となっていることを示すＨレベルとなる。
【００５５】
すなわち、信号一致判別装置１は、チューナ部２が受信する受信チャンネルとテレビ受像機９が受信する受信チャンネルとが同じチャンネルとなるときにはＬレベルを送出し、チューナ部２が受信する受信チャンネルとテレビ受像機９が受信する受信チャンネルとが異なるチャンネルとなるときにはＨレベルを送出する。
【００５６】
図６は、実施形態であるビデオカセットレコーダの主要動作を示すフローチャートである。必要に応じて同図を参照しつつ、実施形態の動作を説明する。
【００５７】
いま、リモートコントローラ７により指示されるチャンネル（指示チャンネル）に、チューナ部２が実際に受信する商用放送のチャンネル（受信チャンネル）を対応付ける初期設定のモードになっているとする。また、テレビ受像機９においては、テレビ受像機９用のリモートコントローラ等によって、チャンネル番号の、例えば２番が指示されているとする。そして、テレビ受像機９は、チャンネル番号の２番を指示されたときには、商用放送のチャンネルの、例えば６チャンネルを受信するようになっているとする。このため、端子４２には、商用放送の６チャンネルを受信して得られた映像信号（受信チャンネルが６であるときの映像信号）が入力される。
【００５８】
テレビ受像機９を上記した状態に設定した後、リモートコントローラ７を用いて、チャンネル番号の２番を指示する（ステップＳ１）。この指示が与えられると、マイクロコンピュータ５は、チューナ部２が受信する商用放送のチャンネル（受信チャンネル）を、最も低いチャンネルに設定する（ステップＳ２）。そして、チューナ部２から送出される受信レベルを示す信号に基づき、商用放送が受信されたかどうかを調べる（ステップＳ３）。商用放送が受信されないときには、このときの受信チャンネルが最高チャンネルとなっているかどうかを調べ、最高チャンネルとなっていないときには、受信するチャンネルを、１つ上のチャンネルに更新する（ステップ４，Ｓ５）。そして、動作をステップＳ３に移行し、商用放送が受信されたかどうかを調べる。すなわち、ステップＳ３〜Ｓ５のループ動作を開始する。
【００５９】
上記したループ動作において、商用放送が受信されたときには、動作を、ステップＳ３からステップＳ６に移行し、信号一致判別装置１の判別信号１６１２が、チューナ部２が出力する受信映像信号１１１と、テレビ受像機９から送出された外部映像信号１２１とが同じ映像信号であることを示すＬレベルになっているかどうかを調べる。判別信号１６１２がＨレベルとなっているとき（受信映像信号１１１と外部映像信号１２１とが異なる映像信号となっているとき）には、動作を、ステップＳ４に移行する。
【００６０】
従って、信号一致判別装置１から送出される判別信号１６１２がＬレベルとならない場合には、ステップＳ３〜Ｓ５のループ動作、あるいは、ステップＳ３，Ｓ６，Ｓ４，Ｓ５のループ動作が実行される。そして、これら２種のループ動作を実行しているときに、信号一致判別装置１から送出される判別信号１６１２がＬレベルとなった場合、マイクロコンピュータ５は、このときの受信チャンネル（６チャンネル）を、リモートコントローラ７により指示されたチャンネル番号（指示チャンネル）２に対応する受信チャンネルであるとして、内部に記憶する（ステップＳ７）。従って、以後では、リモートコントローラ７を用いてチャンネル番号２を指示すると、チューナ部２は、商用放送の６チャンネルを受信する。
【００６１】
以下、同様の動作が繰り返されることによって、テレビ受像機９において設定されていた指示チャンネルと受信チャンネルとの対応関係と同じ関係が、ビデオカセットレコーダの側においても設定されることになる。その結果、指示チャンネルが同じのときには、テレビ受像機９の側が受信する商用放送のチャンネルと、ビデオカセットレコーダの側が受信する商用放送のチャンネルとは、同一となる。
【００６２】
なお、受信チャンネルを最高チャンネルまで更新したときにも、判別信号１６１２が一致を示さないときには、エラー処理が行われる（ステップＳ８）。
【００６３】
なお、本考案は上記実施形態に限定されず、第４の抵抗Ｒ４の接続位置については、第２のローパスフィルタ１２の出力側と接地レベルとの間に接続した場合について説明したが、第２のローパスフィルタ１２の入力側と接地レベルとの間に接続した構成とすることができる。また、第４の抵抗Ｒ４を、第２のローパスフィルタ１２の入力側とプラス電源との間、あるいは、第２のローパスフィルタ１２の出力側とプラス電源との間に接続した構成とすることができる。また、第１のローパスフィルタ１１の出力を比較器１５１のプラス入力に接続し、第２のローパスフィルタ１２の出力を比較器１５１のマイナス入力に接続した構成とすることもできる（必要に応じて、判別信号生成部１６における検波の極性を変更する）。
【００６４】
また、信号一致判別装置を備えた装置としては、ビデオカセットレコーダとした場合について説明したが、商用放送を受信してＤＶＤに記録する装置、あるいは、商用放送を受信してハードディスクに記録する装置、等のように、商用放送を受信するチューナ部を備えるとともに映像信号の記録手段を有する装置の場合には、同様に適用することができる。
【図面の簡単な説明】
【００６５】
【図１】本考案に係る信号一致判別装置の一実施形態の電気的接続を示す回路図である。
【図２】本考案に係るビデオカセットレコーダの一実施形態の電気的構成を示すブロック線図である。
【図３】受信映像信号と外部映像信号とが同じ映像信号となるときの主要信号の波形を示す説明図である。
【図４】受信映像信号と外部映像信号とが異なる映像信号となるときの主要信号の波形を示す説明図である。
【図５】受信映像信号と外部映像信号とが異なる映像信号となるときの主要信号の波形を示す説明図である。
【図６】実施形態の主要動作を示すフローチャートである。
【図７】信号一致判別装置の従来技術の電気的接続を示す回路図である。
【符号の説明】
【００６６】
１  信号一致判別装置
２  チューナ部
９  テレビ受像機
１１  第１のローパスフィルタ
１２  第２のローパスフィルタ
１５  比較部
１６  判別信号生成部
１１１  受信映像信号
１２１  外部映像信号
１７１  比較器
１６１２  判別信号
Ｃ１  第１のコンデンサ
Ｃ２  第２のコンデンサ
Ｃ３  第３のコンデンサ
Ｄ１  ダイオード
Ｒ１  第１の抵抗
Ｒ２  第２の抵抗
Ｒ３  第３の抵抗
Ｒ４  第４の抵抗
Ｒ７  放電用抵抗
【図１】
0003101606.tif 000003
【図２】
0003101606.tif 000004
【図３】
0003101606.tif 000005
【図４】
0003101606.tif 000006
【図５】
0003101606.tif 000007
【図６】
0003101606.tif 000008
【図７】
0003101606.tif 000009